(57)【要約】【課題】面倒なゴミ捨て用ビニール袋の着脱作業が不要であり、不衛生な部分を操作する必要も、無理な姿勢をとる必要もなく、操作性がよく、且確実に目的の場所にゴミ捨てができる。また従来の手提げちり取りにゴミ捨て手段を付加すればよく、構造が簡単で動作が確実であり、製作も容易なゴミ捨て手段を有するちり取りを提供する。【解決手段】従来の手提げちり取りにおいて、支持体３により吊り上げられた状態での支持体支持杆３２に、操作体把持部４１が上下に移動自在に環装されており、該操作体把持部４１の下端に軸承部４２が突設されており、該軸承部４２に帯板状の操作体操作杆４３の上端が軸支され、また操作体操作杆４３の下端には本体両側部１２を跨ぐように、コ字状に屈曲形成された操作体アーム部４４、４５を固設し、該操作体アーム部４４、４５は本体側部１２に支持体アーム部３３、３４よりも本体後部１３側に、且本体上板部１１側に軸着する。【選択図】  図１
2009285106.tif 000002
【特許請求の範囲】
【請求項１】
前部に掃き込み口部を開口する箱型状の本体と、本体を吊り上げて支持し得る支持体と、掃き込み口部を開閉する蓋体とを有し、支持体には棒状の支持体支持杆と、該支持体支持杆上端部には支持体把持部が固設されており、相対する下端部には本体両側部を跨ぐようにコ字状に屈曲形成された支持体アーム部が固設され、且、連結部材により蓋体が連結されており、前記支持体アーム部は回転自在に本体両側部の軸着部に軸着され、また、支持体により本体を吊り上げられた状態では、本体が掃き込み口部を上方に向けて起立し、蓋体は掃き込み口を覆う、また、支持体を下降させ、本体底板部を床面上に載置させて掃き込み口部を水平方向に向けた状態では、蓋体は掃きこみ口部を開くちり取りにおいて、支持体により吊り上げられた状態にて、本体両側部の軸着部を支点に本体が転倒し、且、蓋体が開き、掃き込み口部が下方向に向ことにより、本体に収集したゴミ等が排出できるゴミ捨て手段を備えていることを特徴とするちり取り。
【請求項２】
前記ゴミ捨て手段は、本体を吊り上げた状態での支持体支持杆に、操作体把持部が上下に移動自在に環装されており、該操作体把持部の下端に軸承部が突設されており、該軸承部に帯板状の操作体操作杆の上端が軸支され、また、操作体操作杆の下端には本体両側部を跨ぐようにコ字状に屈曲形成された操作体アーム部が固設されており、該操作体アーム部は回転自在に本体の両側部の軸着部に軸着されており、該操作体アーム部は支持体アーム部よりも本体後部側に、且、本体上板部側に軸着されていることを特徴とした、請求項１に記載のゴミ捨て手段を有するちり取り。
【請求項３】
また、前記ゴミ捨て手段とは別のゴミ捨て手段としては、本体を吊り上げた状態での支持体支持杆に操作体把持部が上下には移動自在に、そして周囲方向には回転が阻止されるよう環装されており、該操作体把持部の下端に把持線条体ガイド部が突設されており、また、操作体把持部の下方にはスプリングを介しストッパーが支持体支持杆に外嵌固設され、操作体把持部を受止し、また、コ字状に屈曲形成された支持体アーム部の中央にもアーム線条体ガイド部が突設されており、線条体が前記把持線条体ガイド部よりアーム線条体ガイド部を掛架して、または、把持部線条体ガイド部よりアーム線条体ガイド部間を複数回掛架した後、本体上板部沿いに本体上板部の後部中央に、線条体端部が固設されていることを特徴とした、請求項１に記載のゴミ捨て手段を有するちり取り。
【発明の詳細な説明】
【技術分野】
【０００１】
本発明は室内外において箒などによりちり取り内に収集された、ゴミ等を捨てる手段を有するちり取りに関するものである。
【背景技術】
【０００２】
手提げちり取りにおいて、箒などによりちり取り内に収集されたゴミ等を排出するための種々の方法が考案されている。
【０００３】
例えば、特許文献1では、ちり取り本体後部を貫通にしてビニール袋を装着し、ゴミ等をビニール袋内に収集しビニール袋ごとゴミ等を廃棄する。
【０００４】
また、特許文献２では、ちり取り本体後部に取手部を取り付け、該取手部を上方へ操作することにより、本体を転倒させゴミ等を廃棄する。
【特許文献１】実開平０７−０２４２５８号公報
【特許文献２】実開昭５８−１５４７６３号公報
【発明の開示】
【発明が解決しようとする課題】
【０００５】
従来の手提げちり取りは、機能的で使用には非常に便利ではあるが、本体の内部に収集されたゴミ等をゴミ箱等に捨てるためには、例えば、一方の手で支持体把持部を持ち本体をゴミ箱等の上方に持ち上げた状態にて、他方の手で本体後部を持ち上げ本体を転倒させゴミ等を排出するが、この際両手を大きく開く必要があり、また、本体後部は地面に接地して汚れているため不衛生である。
【０００６】
また、ゴミ捨て手段を有するちり取りとして特許文献１では、ゴミ袋の着脱をするための作業が増え面倒であり、特許文献２では、前述の従来の手提げちり取り同様、ゴミ捨ての際両手を大きく開き無理な姿勢をとる必要があり、また、本体後部は汚れていて不衛生である。
【０００７】
本発明は面倒な作業が不要であり、無理な姿勢をとることなく、不衛生な部分を操作する必要もなく、また、操作性も良く、且、確実に目的の場所に、ゴミ捨てができるちり取りを提供しようとするものである。
【課題を解決するための手段】
【０００８】
前記目的を達成するために、前部に掃き込み口部を開口する箱型形状の本体と、本体を吊り上げて支持し得る支持体と、掃き込み口部を開閉する蓋体とを有し、支持体には棒状の支持体支持杆と、該支持体支持杆上端部には支持体把持部が固設されており、相対する下端部には本体両側部を跨ぐようにコ字状に屈曲形成された支持体アーム部が固設され、且、連結部材により蓋体が連結されており、前記支持体アーム部は回転自在に本体両側部の軸着部に軸着され、また、支持体により本体を吊り上げられた状態では、本体が掃き込み口部を上方に向けて起立し、蓋体は掃き込み口を覆う、また、支持体を下降させ、本体底板部を床面上に載置させて掃き込み口部を水平方向に向けた状態では、蓋体は掃きこみ口部を開くちり取りにおいて、支持体により吊り上げられた状態にて、ゴミ捨て手段により本体の両側部の軸着部を支点に本体が転倒し、且、蓋体が開き、掃き込み口部が下方向に向ことを特徴とするものである。
【０００９】
前記ゴミ捨て手段は、本体を吊り上げた状態での支持体支持杆に、操作体把持部が上下に移動自在に環装されており、該操作体把持部の下端に軸承部が突設されており、該軸承部に帯板状の操作体操作杆の上端が軸支され、また、操作体操作杆の下端には本体両側部を跨ぐように、コ字状に屈曲形成された操作体アーム部が固設されており、該操作体アーム部は回転自在に本体の両側部の軸着部に軸着されており、該操作体アーム部は支持体アーム部よりも本体後部側に、且、本体上板部側に軸着されていることを特徴とするものである。
【００１０】
また、前記ゴミ捨て手段とは別のゴミ捨て手段としては、本体を吊り上げた状態での支持体支持杆に操作体把持部が上下には移動自在に、そして周囲方向には回転が阻止されるよう環装されており、該操作体把持部の下端に把持線条体ガイド部が突設されており、また、操作体把持部の下方にはスプリングを介しストッパーが支持体支持杆に外嵌固設され、操作体把持部を受止し、また、コ字状に屈曲形成された支持体アーム部の中央にもアーム線条体ガイド部が突設されており、線条体が前記把持線条体ガイド部よりアーム線条体ガイド部を掛架して、または、把持線条体ガイド部よりアーム線条体ガイド部間を複数回掛架した後、本体上板部沿いに本体上板部の後部中央に、線条体端部が固設されていることを特徴としたものである。
【発明の効果】
【００１１】
本発明のゴミ捨て手段を有するちり取りによれば、目的の場所で一方の手で支持体把持部を持ち上げ、他方の手で操作体把持部を上方向に移動させる事により、本体が転倒し、本体内部に収集されたゴミ等が落下排出される。この際、本体内部に引っ掛かり落下しなかったゴミがあれば、操作体把持部を再度素早く上下動させ、内容物に衝撃を与え落下させることができる。また、両手での操作であっても大きく開くことなく接近しての操作であるため、操作が容易であり、また、本体後部への接触もなく衛生的である。
【発明を実施するための最良の形態】
【００１２】
本発明の実施の形態を、図面を参照にして詳述する。
【００１３】
図１〜図４、図９は本発明の第一実施形態に係わる、ゴミ捨て手段を有するちり取りに付いて示すもので、まずは、従来のちり取りと同一構造部分に付いて記述する。
【００１４】
前部に掃き込み口部１５を開口する箱型形状の本体１と、本体を吊り上げて支持し得る支持体３と、掃き込み口部１５を開閉する蓋体２とを備えている。
【００１５】
前記支持体３は中空棒状の支持体支持杆３２に、上端部には支持体把持部３１が固設され、下端部には本体両側部１２を跨ぐようにコ字状に屈曲形成された支持体アーム上辺部３３と、それに連設された支持体アーム側部３４が、該支持体アーム上辺部の中央で固設されている。
【００１６】
また、前記支持体支持杆３２の下端部と支持体アーム上辺部３３の中央での固設箇所に、連結部材５が移動自在に環装され、また、連結部材５の他端部が蓋体２の中央の取付け孔部５１に掛着されている。また、該蓋体２は蓋体２の後片部で蓋体ヒンジ部２１を介して本体上板部１１の前部で開閉自在に連結してある。
【００１７】
図９に示すように、支持体アーム側部３４の下部には、支持体回転軸３５が突設されており、該支持体回転軸３５は本体側部１２の軸承孔で、回転自在に軸着されている。
【００１８】
また、前記支持体アーム側部３４の下端部には、支持体起立保持部６１が設置されており、本体底板部１４を床面上に載置させて、掃き込み口部１５を水平方向に向けた状態において、本体側部１２の起立保持ストッパー６２と係止し、支持体３が略起立状態で保持される。また、支持体３をそれ以上に本体１の後部方向に回動させた場合、支持体起立保持部６１は容易に起立保持ストッパー６２を越えることができるものとする。
【００１９】
前記支持体起立保持部６１は、図９に示すように円錐状部材６１１が、スプリング６１２を介して支持体アーム側部３４の下端部に設けた孔より、本体側に向け突設されている。また、起立保持ストッパー６２は本体側部１２に山型部材が固設されている。尚、支持体３を起立状態で保持させ、また、これを容易に解除できる機能を有するものであれば、特に前記構造に限定されるものではない。
【００２０】
以上が、従来のちり取りと同一構造部分である。以下に、本発明のゴミ捨て手段に係わる構造に付いて記述する。
【００２１】
操作体把持部４１が支持体支持杆３２に上下に移動自在に環装されおり、該操作体把持部４１下端に軸承部４２が、本体を吊り上げた状態での側面視において、本体上板部１１の方向に突設されている。前記軸承部４２は凹型部材に両側部を貫通する貫通孔が設けられており、該凹型部材に帯板状の操作体操作杆４３の上端部の軸孔と、前記貫通孔とをピン等により揺動自在に挟着されている。
【００２２】
また、前記操作体操作杆４３の下端には、本体両側部１２を跨ぐようにコ字状に屈曲形成された、操作体アーム上辺部４４とそれに連設された操作体アーム側部４５が、前記操作体アーム上辺部４４の中央で固設されている。該操作体アーム側部４５は前記支持体アーム側部３４同様に、操作体アーム側部４５の下部には操作体回転軸４６が突設されており、該操作体回転軸４６は本体側部１２の軸承孔で、回転自在に軸着されている。
【００２３】
本体を吊り上げた状態での、前記支持体３と操作体４の相対関係は、側面視において本体側部１２への操作体回転軸４６の軸承部の設置位置は、支持体回転軸３５の軸承部の設置位置に比べ、本体上板部１１よりに、且、本体後部１３よりに設置されている。つまり、支持体３は支持体回転軸３５の軸承部より略垂直に起立し、操作体４は操作体回転軸４６の軸承部より本体底板部１４方向に傾斜し設置されていることにより、操作体把持部４１の上方への移動に対して、本体１が支持体回転軸３５を支点にスムーズに回転できる。
【００２４】
また、支持体アーム側部３４及び、操作体アーム側部４５は支持体回転軸３５及び、操作体回転軸４６を支点に回動しても、蓋体２、または、蓋体ヒンジ部２１に当接せず、本体上板部１１まで回動可能な長さとすることにより、ゴミ捨て操作時に本体１が充分に転倒し掃き込み口部１５が下方へ向くことができる。
【００２５】
以上のように構成された第一実施形態のゴミ捨て手段を有するちり取りは、図１及び図２に示すように支持体把持部３１により本体１を吊り上げた状態では、本体後部１３を下にし、掃き込み口部１５を上にした起立状態となり、また、蓋部２も支持体支持杆３２に環装された連結部材５により、本体１の動きに連動し掃き込み口部１５を閉止する。また、支持体支持杆３２に環装された操作体把持部４１も本体１の動きに連動し支持体支持杆３２の下部に位置する。
【００２６】
前記状態より図３に示すように、支持体把持部３１を下げ本体後部１３を床面（図示せず）に載置させ、さらに支持体把持部３１を下げていくと本体１は本体両側部１２の支持体回転軸３５を支点に回動し、掃き込み口部１５を水平方向に向け本体底板部１４の全体が床面上に載置される。また、蓋部２も本体１の動きに連動し、蓋体ヒンジ部２１を支点に本体後部１３の方向に回動して掃き込口部１５を開放する。また、操作体４も本体１の動きに連動して本体両側部１２の操作体回転軸４６を支点に回動し、それにつれ操作体把持部４１は支持体支持杆３２の上方へと移動する。この状態で作業者は、箒等でゴミ等を本体１の内部への掃き込み作業を実施する。
【００２７】
また、前記作業時に支持体３の起立が保持された状態で床面上の任意の位置に放置し、作業者が床面上のゴミ等を掃き集める作業を行うため、支持体３を床面に対して９０°よりいくらか過ぎた状態において、支持体アーム側部３４の下端に設置の支持体起立保持部６１が本体側部１２に設置の起立保持ストッパー６２に当接し、支持体が略起立状態で保持される。これにより、作業者はゴミ等を掃き集める収集作業を終了し、再び支持体把持部３１を把持することが容易に行える。
【００２８】
次に図１及び図２に示す状態より、図４に示すようにゴミ捨て操作をするには、作業者がゴミ箱等ゴミ捨てをする位置の上方において、一方の手で支持体把持部３１を把持し、他方の手で操作体把持部４１を上方へ移動すると、本体１は支持体回転軸３５を支点に転倒し、蓋部２も掃き込口部１５を開放し、本体１の内部に収納されたゴミ等は自重により落下排出される。この際、前記支持体起立保持部６１が起立保持ストッパー６２に当接するが、該支持体起立保持部６１は起立保持ストッパー６２を越え（山型部材６２により円錐状部材６１１はスプリング６１２のバネ力に抗して支持体アーム側部３４の外方へ退出することにより、係止状態が解除される。）、支持体アーム上辺部３３は本体上板部１１に当接する。
【００２９】
また、本体１の内部に引っ掛かったゴミ等（紙屑のような嵩があるが軽量な物等）も操作体把持部４１を素早く複数回上下することにより、本体１が転倒、復帰を素早く繰り返すことにより、引っ掛かったゴミ等に衝撃を与え排出できる。
【００３０】
図５〜図１３は本発明の第二実施形態に係わる、ゴミ捨て手段を有するちり取りに付いて示すもので、ゴミ捨て手段以外は第一実施形態と同じ構造であるため、同一構造部分については記述を省略する。以下に第二実施形態に係わる、ゴミ捨て手段を有するちり取りについて記述する。
【００３１】
支持体支持杆３２に、操作体把持部４１が上下に移動自在に環装されており、該操作体把持部４１の下端に把持線条体ガイド部７１が、本体を吊り上げた状態での側面視において、本体上板部１１の方向に突設されている。図１１（ｂ）に示すように、把持線条体ガイド部７１は、下部が開放された箱型部材７１１にガイドローラ７１２が内設されている。
【００３２】
また、図１０（ａ）に示すように、操作体把持部４１は支持体支持杆３２の周囲方向への回転を阻止するために、支持体支持杆３２の断面形状を中空棒状の四角形とし、且、操作体把持部４１の中空部断面も四角形とすることにより、操作体把持部４１の回転を阻止する。または、図１０（ｂ）に示すように、別の回転阻止方法としては、支持体支持杆３２の断面外側に凹部３２１を設け、該凹部３２１に相対するように操作体把持部４１の中空部に凸部４１１を設け回転を阻止する。尚、操作体把持部４１の支持体支持杆３２の周囲方向への回転を阻止するための方法は、回転を阻止する作用を奏するものであれば、特に限定はされない。
【００３３】
前記操作体把持部４１の下方には、スプリング７５を介してストッパー７４が支持体支持杆３２に外嵌固設され、前記操作体把持部４１がスプリング７５上で受止されている。
【００３４】
また、支持体アーム上辺部３３の中央の支持体支持杆３２との固設部分にアーム線条体ガイド部７２が、本体を吊り上げた状態での側面視において、本体上板部１１の方向に突設されている。図１１（ｃ）に示すように、アーム線条体ガイド部７２は、ガイドリング７２１が固設されており、且、線条体係止部材７２２も連設されている。
【００３５】
線条体７は、図５、図６及び図１１に示すように、該端部が前記アーム線条体ガイド部７２の線条体係止部材７２２に固設され、上方の把持線条体ガイド部７１のガイドローラ７１２を経由して、下方のアーム線条体ガイド部７２のガイドリング７２１を経由し、本体上板部１１沿いに、本体上板部１１の後部中央に設置した線条体係止部材７３に固設されている。該線条体７は合成樹脂製、金属製、または、植物繊維製等で強靭であり、且、柔軟性に富む物であれば、特に限定される物ではない。
【００３６】
図１２では、第二実施形態の別の実施例を示している。把持線条体ガイド部７６は、線条体係止部材７６１が固設されており、また、アーム線条体ガイド部７７には、ガイドリング７７１が固設されている。
【００３７】
線条体７は、該端部が前記把持線条体ガイド部７６の線条体係止部材７６１に固設され、下方のアーム線条体ガイド部７７のガイドリング７７１を経由して、本体上板部１１沿いに、本体上板部１１の後部中央に設置した線条体係止部材７３に固設されている。
【００３８】
図１３では、第二実施形態の更に別の実施例を示している。把持線条体ガイド部７８は、下部が開放された箱型部材７８１にガイドローラ７８２が内設されており、且、線条体係止部材７８３が連設されている。また、アーム線条体ガイド部７９は、ガイドリング７９１が固設されており、且、上部が開放された箱型部材７９２に内設されたガイドローラ７９３が連設されている。
【００３９】
線条体７は、該端部が前記把持線条体ガイド部７８の線条体係止部材７８３に固設され、下方のアーム線条体ガイド部７９のガイドローラ７９３を経由して、上方の把持線条体ガイド部７８のガイドローラ７８２を経由し、再びアーム線条体ガイド部７９のガイドリング７９１を経由し、本体上板部１１沿いに、本体上板部１１の後部中央に設置した線条体係止部材７３に固設されている。
【００４０】
次に、第二実施形態のゴミ捨て手段を有するちり取りの機能に付いて記述する。尚、第一実施形態と同様な機能に付いての記述は省略する。図５及び図６は支持体把持部３１により本体１を吊り上げた状態を示す。線条体７は本体１の動きに連動し、支持体支持杆３２に環装されたスプリング７５を縮退し、操作体把持部４１を支持体支持杆３２の下部に位置させる。
【００４１】
前記状態より図７に示すように、支持体把持部３１を下げ本体後部１３を床面に載置させ、さらに支持体把持部３１を下げていき掃き込み口部１５が水平方向に向き本体底板部１４の全体が床面上に載置された状態において、線条体７は本体１の動きにより弛緩するも、支持体支持杆３２に環装されたスプリング７５の弾力により操作体把持部４１は支持体支持杆３２の上方へと変位することにより、線条体７は弛むことなく緊張状態を保つ。
【００４２】
次に図８に示すように、ゴミ捨て操作をする際は、第一実施形態と同様、ゴミ捨てする位置の上方において、一方の手で支持体把持部３１を把持し、他方の手で操作体把持部４１を上方へ移動すると、線条体７により本体１は支持体回転軸３５を支点に転倒し、蓋部２も掃き込口部１５を開放し、本体１の内部に収納されたゴミ等は自重により落下排出される。
【００４３】
この際、操作体把持部４１の上方への操作については本体１の転倒は即応するも、下方への操作に付いての本体１の姿勢の復帰は、本体１の自重による回転力のみであるため、第一実施形態のような本体１の素早い転倒、復帰操作は難しい。
【００４４】
しかし、図１１に示す把持線条体ガイド部７１とアーム線状体ガイド部７２間、または図１２に示す把持線条体ガイド部７６とアーム線状体ガイド部７７間、さらに図１３に示す把持線条体ガイド部７８とアーム線状体ガイド部７９間の線条体７の掛架方法により、操作体把持部４１の上方への操作距離は、図１１に対して、図１２は長く、図１３は短くなり、また、操作力は操作距離とは逆に、図１１に対して、図１２は小さく、図１３は大きくなる。以上のように線条体７の掛架方法により、第二実施形態では種々のゴミ捨て手段が選択できる。
【００４５】
尚、本発明のゴミ捨て手段は、前記従来の手提げちり取りに取付けが限定されるものでなく、掃き込み口部を水平方向に向け本体底板部の全体が床面上に載置され、蓋部が本体上板部を覆うように移動し掃き込口部を開放する、別の形態の従来の手提げちり取り（特開２００４−６５５９１、特開平８−１２６６０１）または、蓋部が設置されていない、さらに別の形態の従来の手提げちり取りにおいても、容易に設置し実施できるものである。
【産業上の利用可能性】
【００４６】
本発明のゴミ捨て手段を有するちり取りは、面倒なゴミ捨て用ビニール袋の着脱作業が不要であり、不衛生な部分を操作する必要も、無理な姿勢をとる必要もなく、操作性がよく、且、確実に目的の場所にゴミ捨てができる。また、従来の手提げちり取りにゴミ捨て手段を付加すればよく、構造が簡単で動作が確実であり、且、製作も容易である。
【図面の簡単な説明】
【００４７】
【図１】本発明の第一実施形態を示す、吊り上げた状態での正面図である。
【図２】本発明の第一実施形態を示す、吊り上げた状態での側面図である。
【図３】本発明の第一実施形態を示す、本体底板部を床面上に載置させた状態での側面図である。
【図４】本発明の第一実施形態を示す、吊り上げた状態でゴミ捨て操作時での側面図である。
【図５】本発明の第二実施形態を示す、吊り上げた状態での正面図である。
【図６】本発明の第二実施形態を示す、吊り上げた状態での側面図である。
【図７】本発明の第二実施形態を示す、本体底板部を床面上に載置させた状態での側面図である。
【図８】本発明の第二実施形態を示す、吊り上げた状態でゴミ捨て操作時での側面図である。
【図９】図２の起立保持部における、Ｉ−Ｉ線要部断面図である。
【図１０】（ａ）、図５の操作体把持部の回転防止方法を示す、II−II線要部断面図である。（ｂ）、図５の操作体把持部の他の回転防止方法を示す、II−II線要部断面図である。
【図１１】（ａ）、図５で線条体の、把持線条体ガイド部及びアーム線条体ガイド部の掛架方法を示す、要部詳細図である。（ｂ）、（ａ）における把持線条体ガイド部の詳細斜視図である。（ｃ）、（ａ）におけるアーム線条体ガイド部の詳細斜視図である。
【図１２】（ａ）、図５とは別の線条体の、把持線条体ガイド部及びアーム線条体ガイド部の掛架方法を示す要部詳細図である。（ｂ）、（ａ）における把持線条体ガイド部の詳細斜視図である。（ｃ）、（ａ）におけるアーム線条体ガイド部の詳細斜視図である。
【図１３】（ａ）、図５とは更に別の線条体の、把持線条体ガイド部及びアーム線条体ガイド部の掛架方法を示す要部詳細図である。（ｂ）、（ａ）における把持線条体ガイド部の詳細斜視図である。（ｃ）、（ａ）におけるアーム線条体ガイド部の詳細斜視図である。
【符号の説明】
【００４８】
１  本体
２  蓋体
３  支持体
４  操作体
５  連結部材
７  線条体
１１  本体上板部
１２  本体側部
１５  掃き込口部
３１  支持体把持部
３２  支持体支持杆
３３  支持体アーム上辺部（支持体アーム部）
３４  支持体アーム側部（支持体アーム部）
３５  支持体回転軸
４１  操作体把持部
４３  操作体操作杆
４４  操作体アーム上辺部（操作体アーム部）
４５  操作体アーム側部（操作体アーム部）
４６  操作体回転軸
６１  支持体起立保持部
６２  起立保持ストッパー
７１  把持線条体ガイド部
７２  アーム線条体ガイド部
【図１】
2009285106.tif 000003
【図２】
2009285106.tif 000004
【図３】
2009285106.tif 000005
【図４】
2009285106.tif 000006
【図５】
2009285106.tif 000007
【図６】
2009285106.tif 000008
【図７】
2009285106.tif 000009
【図８】
2009285106.tif 000010
【図９】
2009285106.tif 000011
【図１０】
2009285106.tif 000012
【図１１】
2009285106.tif 000013
【図１２】
2009285106.tif 000014
【図１３】
2009285106.tif 000015
【手続補正書】
【提出日】平成20年7月30日(2008.7.30)
【手続補正１】
【補正対象書類名】特許請求の範囲
【補正対象項目名】全文
【補正方法】変更
【補正の内容】
【特許請求の範囲】
【請求項１】
前部に掃き込み口部を開口する箱型状の本体と、本体を吊り上げて支持し得る支持体と、掃き込み口部を開閉する蓋体とを有し、支持体には棒状の支持体支持杆と、該支持体支持杆上端部には支持体把持部が固設されており、相対する下端部には本体両側部を跨ぐようにコ字状に屈曲形成された支持体アーム部が固設され、且、連結部材により蓋体が連結されており、前記支持体アーム部は回転自在に本体両側部の軸着部に軸着され、また、支持体により本体を吊り上げられた状態では、本体が掃き込み口部を上方に向けて起立し、蓋体は掃き込み口を覆う、また、支持体を下降させ、本体底板部を床面上に載置させて掃き込み口部を水平方向に向けた状態では、蓋体は掃きこみ口部を開くちり取りにおいて、支持体支持杆に操作体把持部が上下に移動自在に環装されており、該操作体把持部の下端に軸承部が突設されており、該軸承部に帯板状の操作体操作杆の上端が軸支され、また、操作体操作杆の下端には本体両側部を跨ぐようにコ字状に屈曲形成された操作体アーム部が固設されており、該操作体アーム部は回転自在に本体の両側部の軸着部に軸着されており、該操作体アーム部は支持体アーム部よりも本体後部側に、且、本体上板部側に軸着されていることを特徴とした、ゴミ捨て手段を有するちり取り。
【手続補正２】
【補正対象書類名】明細書
【補正対象項目名】全文
【補正方法】変更
【補正の内容】
【発明の詳細な説明】
【技術分野】
【０００１】
本発明は室内外において箒などによりちり取り内に収集された、ゴミ等を捨てる手段を有するちり取りに関するものである。
【背景技術】
【０００２】
手提げちり取りにおいて、箒などによりちり取り内に収集されたゴミ等を排出するための種々の方法が考案されている。
【０００３】
例えば、特許文献1では、ちり取り本体後部を貫通にしてビニール袋を装着し、ゴミ等をビニール袋内に収集しビニール袋ごとゴミ等を廃棄する。
【０００４】
また、特許文献２では、ちり取り本体後部に取手部を取り付け、該取手部を上方へ操作することにより、本体を転倒させゴミ等を廃棄する。
【特許文献１】実開平０７−０２４２５８号公報
【特許文献２】実開昭５８−１５４７６３号公報
【発明の開示】
【発明が解決しようとする課題】
【０００５】
従来の手提げちり取りは、機能的で使用には非常に便利ではあるが、本体の内部に収集されたゴミ等をゴミ箱等に捨てるためには、例えば、一方の手で支持体把持部を持ち本体をゴミ箱等の上方に持ち上げた状態にて、他方の手で本体後部を持ち上げ本体を転倒させゴミ等を排出するが、この際両手を大きく開く必要があり、また、本体後部は地面に接地して汚れているため不衛生である。
【０００６】
また、ゴミ捨て手段を有するちり取りとして特許文献１では、ゴミ袋の着脱をするための作業が増え面倒であり、特許文献２では、前述の従来の手提げちり取り同様、ゴミ捨ての際両手を大きく開き無理な姿勢をとる必要があり、また、本体後部は汚れていて不衛生である。
【０００７】
本発明は面倒な作業が不要であり、無理な姿勢をとることなく、不衛生な部分を操作する必要もなく、また、操作性も良く、且、確実に目的の場所に、ゴミ捨てができるちり取りを提供しようとするものである。
【課題を解決するための手段】
【０００８】
前記目的を達成するために、前部に掃き込み口部を開口する箱型形状の本体と、本体を吊り上げて支持し得る支持体と、掃き込み口部を開閉する蓋体とを有し、支持体には棒状の支持体支持杆と、該支持体支持杆上端部には支持体把持部が固設されており、相対する下端部には本体両側部を跨ぐようにコ字状に屈曲形成された支持体アーム部が固設され、且、連結部材により蓋体が連結されており、前記支持体アーム部は回転自在に本体両側部の軸着部に軸着され、また、支持体により本体を吊り上げられた状態では、本体が掃き込み口部を上方に向けて起立し、蓋体は掃き込み口を覆う、また、支持体を下降させ、本体底板部を床面上に載置させて掃き込み口部を水平方向に向けた状態では、蓋体は掃きこみ口部を開くちり取りにおいて、支持体支持杆に、操作体把持部が上下に移動自在に環装されており、該操作体把持部の下端に軸承部が突設されており、該軸承部に帯板状の操作体操作杆の上端が軸支され、また、操作体操作杆の下端には本体両側部を跨ぐように、コ字状に屈曲形成された操作体アーム部が固設されており、該操作体アーム部は回転自在に本体の両側部の軸着部に軸着されており、該操作体アーム部は支持体アーム部よりも本体後部側に、且、本体上板部側に軸着されていることを特徴とするものである。
【発明の効果】
【０００９】
本発明のゴミ捨て手段を有するちり取りによれば、目的の場所で一方の手で支持体把持部を持ち上げ、他方の手で操作体把持部を上方向に移動させる事により、本体が転倒し、本体内部に収集されたゴミ等が落下排出される。この際本体内部に引っ掛かり落下しなかったゴミがあれば、操作体把持部を再度素早く上下動させ、内容物に衝撃を与え落下させることができる。また、両手での操作であっても大きく開くことなく接近しての操作であるため、操作が容易であり、また、本体後部への接触もなく衛生的である。
【発明を実施するための最良の形態】
【００１０】
本発明の実施の形態を、図面を参照にして詳述する。
【００１１】
図１は吊り上げた状態での正面図、図２は吊り上げた状態での側面図、図３は本体底板部を床面上に載置させた状態での側面図、図４は吊り上げた状態でゴミ捨て操作時での側面図である。まずは、従来のちり取りと同一構造部分に付いて説明をする。
【００１２】
前部に掃き込み口部１５を開口する箱型形状の本体１と、本体を吊り上げて支持し得る支持体３と、掃き込み口部１５を開閉する蓋体２とを備えている。
【００１３】
前記支持体３は中空棒状の支持体支持杆３２に、上端部には支持体把持部３１が固設され、下端部には本体両側部１２を跨ぐようにコ字状に屈曲形成された支持体アーム上辺部３３と、それに連設された支持体アーム側部３４が、該支持体アーム上辺部の中央で固設されている。
【００１４】
また、前記支持体支持杆３２の下端部と支持体アーム上辺部３３の中央での固設箇所に、連結部材５が移動自在に環装され、また、連結部材５の他端部が蓋体２の中央の取付け孔部５１に掛着されている。また、該蓋体２は蓋体２の後片部で蓋体ヒンジ部２１を介して本体上板部１１の前部で開閉自在に連結してある。
【００１５】
図５は図２の起立保持部における要部断面図である。図５に示すように、支持体アーム側部３４の下部には、支持体回転軸３５が突設されており、該支持体回転軸３５は本体側部１２の軸承孔で、回転自在に軸着されている。
【００１６】
また、前記支持体アーム側部３４の下端部には、支持体起立保持部６１が設置されており、本体底板部１４を床面上に載置させて、掃き込み口部１５を水平方向に向けた状態において、本体側部１２の起立保持ストッパー６２と係止し、支持体３が略起立状態で保持される。また、支持体３をそれ以上に本体１の後部方向に回動させた場合、支持体起立保持部６１は容易に起立保持ストッパー６２を越えることができるものとする。
【００１７】
前記支持体起立保持部６１は、図５に示すように先端が円錐状の部材６１１が、スプリング６１２を介して支持体アーム側部３４の下端部に設けた孔より、本体側に向け突設されている。また、起立保持ストッパー６２は本体側部１２に山型部材が固設されている。尚、支持体３を起立状態で保持させ、また、これを容易に解除できる機能を有するものであれば、特に前記構造に限定されるものではない。
【００１８】
以上が、従来のちり取りと同一構造部分である。以下に、本発明のゴミ捨て手段に係わる構造に付いて説明する。
【００１９】
操作体把持部４１が支持体支持杆３２に上下に移動自在に環装されおり、該操作体把持部４１下端に軸承部４２が、本体を吊り上げた状態での側面視において、本体上板部１１の方向に突設されている。前記軸承部４２は凹型部材に両側部を貫通する貫通孔が設けられており、該凹型部材に帯板状の操作体操作杆４３の上端部の軸孔と、前記貫通孔とをピン等により揺動自在に挟着されている。
【００２０】
また、前記操作体操作杆４３の下端には、本体両側部１２を跨ぐようにコ字状に形成された、操作体アーム上辺部４４とそれに連設された操作体アーム側部４５が、前記操作体アーム上辺部４４の中央で固設されている。該操作体アーム側部４５は前記支持体アーム側部３４同様に、操作体アーム側部４５の下部には操作体回転軸４６が突設されており、該操作体回転軸４６は本体側部１２の軸承孔で、回転自在に軸着されている。
【００２１】
本体を吊り上げた状態での、前記支持体３と操作体４の相対関係は、側面視において本体側部１２への操作体回転軸４６の軸承部の設置位置は、支持体回転軸３５の軸承部の設置位置に比べ、本体上板部１１よりに、且、本体後部１３よりに設置されている。つまり、支持体３は支持体回転軸３５の軸承部より略垂直に起立し、操作体４は操作体回転軸４６の軸承部より本体底板部１４方向に傾斜し設置されていることにより、操作体把持部４１の上方への移動に対して、本体１が支持体回転軸３５を支点にスムーズに回転できる。
【００２２】
また、支持体アーム側部３４及び、操作体アーム側部４５は支持体回転軸３５及び、操作体回転軸４６を支点に回動しても、蓋体２、または、蓋体ヒンジ部２１に当接せず、本体上板部１１まで回動可能な長さとすることにより、ゴミ捨て操作時に本体１が充分に転倒し掃き込み口部１５が下方へ向くことができる。
【００２３】
以上のように構成されたゴミ捨て手段を有するちり取りは、図１及び図２に示すように支持体把持部３１により本体１を吊り上げた状態では、本体後部１３を下にし、掃き込み口部１５を上にした起立状態となり、また、蓋部２も支持体支持杆３２に環装された連結部材５により、本体１の動きに連動し掃き込み口部１５を閉止する。また、支持体支持杆３２に環装された操作体把持部４１も本体１の動きに連動し支持体支持杆３２の下部に位置する。
【００２４】
前記状態より図３に示すように、支持体把持部３１を下げ本体後部１３を床面（図示せず）に載置させ、さらに支持体把持部３１を下げていくと本体１は本体両側部１２の支持体回転軸３５を支点に回動し、掃き込み口部１５を水平方向に向け本体底板部１４の全体が床面上に載置される。また、蓋部２も本体１の動きに連動し、蓋体ヒンジ部２１を支点に本体後部１３の方向に回動して掃き込口部１５を開放する。また、操作体４も本体１の動きに連動して本体両側部１２の操作体回転軸４６を支点に回動し、それにつれ操作体把持杆４１は支持体支持杆３２の上方へと移動する。この状態で作業者は、箒等でゴミ等を本体１の内部への掃き込み作業を実施する。
【００２５】
また、前記作業時に支持体３の起立が保持された状態で床面上の任意の位置に放置し、作業者が床面上のゴミ等を掃き集める作業を行うため、支持体３を床面に対して９０°よりいくらか過ぎた状態において、支持体アーム側部３４の下端に設置の支持体起立保持部材６１が本体側部１２の起立保持ストッパー６２に当接し、支持体が略起立状態で保持される。これにより、作業者はゴミ等を掃き集める収集作業を終了し、再び支持体把持部３１を把持することが容易に行える。
【００２６】
次に図１図２に示す状態より、図４に示すようにゴミ捨て操作をするには、作業者がゴミ箱等ゴミ捨てをする位置の上方において、一方の手で支持体把持部３１を把持し、他方の手で操作体把持部４１を上方へ移動すると、本体１は支持体回転軸３５を支点に転倒し、蓋部２も掃き込口部１５を開放し、本体１の内部に収納されたゴミ等は自重により落下排出される。この際、前記支持体起立保持部６１が起立保持ストッパー６２に当接するが、該支持体起立保持部６１は起立保持ストッパー６２を越え（山型部材６２により円錐状部材６１１はスプリング６１２のバネ力に抗して支持体アーム側部３４の外方へ退出することにより、係止状態が解除される。）、支持体アーム上辺部３３は本体上板部１１に当接する。
【００２７】
また、本体１の内部に引っ掛かったゴミ等（紙屑のような嵩があるが軽量な物等）も操作体把持部４１を素早く複数回上下することにより、本体１が転倒、復帰を素早く繰り返すことにより、引っ掛かったゴミ等に衝撃を与え排出できる。
【００２８】
尚、本発明のゴミ捨て手段は、前記従来の手提げちり取りに限定されるものでなく、掃き込み口部を水平方向に向け本体底板部の全体が床面上に載置され、蓋部が本体上板部を覆うように移動し掃き込口部を開放する、別の形態の従来の手提げちり取り（特開２００４−６５５９１号公報、特開平８−１２６６０１号公報）または、蓋部が設置されていない、さらに別の形態の従来の手提げちり取りにおいても、容易に設置し実施できるものである。
【産業上の利用可能性】
【００２９】
本発明のゴミ捨て手段を有するちり取りは、面倒なゴミ捨て用ビニール袋の着脱作業が不要であり、不衛生な部分を操作する必要も、無理な姿勢をとる必要もなく、操作性がよく、且、確実に目的の場所にゴミ捨てができる。また、従来の手提げちり取りにゴミ捨て手段を付加すればよく、構造が簡単で動作が確実であり、且、製作も容易である。
【図面の簡単な説明】
【００３０】
【図１】本発明の実施形態を示す、吊り上げた状態での正面図である。
【図２】本発明の実施形態を示す、吊り上げた状態での側面図である。
【図３】本発明の実施形態を示す、本体底板部を床面上に載置させた状態での側面図である。
【図４】本発明の実施形態を示す、吊り上げた状態でゴミ捨て操作時での側面図である。
【図５】図２の起立保持部における、Ｉ−Ｉ線要部断面図である。
【符号の説明】
【００３１】
１  本体
２  蓋体
３  支持体
４  操作体
５  連結部材
１１  本体上板部
１２  本体側部
１５  掃き込口部
３１  支持体把持部
３２  支持体支持杆
３３  支持体アーム上辺部（支持体アーム部）
３４  支持体アーム側部（支持体アーム部）
３５  支持体回転軸
４１  操作体把持部
４２  軸承部 
４３  操作体操作杆
４４  操作体アーム上辺部
４５  操作体アーム側部
４６  操作体回転軸
６１  支持体起立保持部
６２  起立保持ストッパー
【手続補正３】
【補正対象書類名】図面
【補正対象項目名】全図
【補正方法】変更
【補正の内容】
【図１】
2009285106.tif 000016
【図２】
2009285106.tif 000017
【図３】
2009285106.tif 000018
【図４】
2009285106.tif 000019
【図５】
2009285106.tif 000020